(57)【要約】【課題】遊技機用の電源ボックスの内部に粉塵や不正具等の異物が侵入するのを確実に防止できる技術を提供する。【解決手段】スロットマシン１の筐体２内部に配設される電源ボックス９は、電源回路が形成された回路基板１１と、該回路基板１１に実装された外部接続用のコネクタソケット１１ａと、その内部に回路基板１１を収納するとともに、コネクタソケット１１ａの先端部が挿通する挿通孔１６を有する電源ボックス本体１０と、コネクタソケット１１ａが電源ボックス本体１０の挿通孔１６に挿通された状態で、電源ボックス本体１０の内側から、コネクタソケット１１ａと挿通孔１６との隙間を塞ぐパッキン１１ｃとを備え、電源ボックス本体１０のカバー体１３には、パッキン１１ｃを位置決めする位置決め部２１が設けられている。【選択図】図３
2015093153.tif 000002
【特許請求の範囲】
【請求項１】
遊技機の筐体内部に配設される電源ボックスにおいて、
電源回路が形成された回路基板と、
前記回路基板に実装された外部接続用のコネクタと、
その内部に前記回路基板を収納するとともに、前記コネクタが挿通する挿通孔を有する電源ボックス本体と、
前記コネクタが前記電源ボックス本体の前記挿通孔に挿通された状態で、前記電源ボックス本体の内側から、前記コネクタと前記挿通孔との隙間を塞ぐ閉塞部材とを備え、
前記電源ボックス本体には、前記閉塞部材を位置決めする位置決め部が設けられていることを特徴とする電源ボックス。
【請求項２】
前記閉塞部材が、前記位置決め部と、前記電源ボックス本体に固定された前記回路基板とにより位置決めされていることを特徴とする請求項１に記載の電源ボックス。
【発明の詳細な説明】
【技術分野】
【０００１】
本発明は、遊技機の筐体内部に配設される電源ボックスに関し、詳しくは、その内部に粉塵や不正具等の異物が侵入するのを防止できる電源ボックスに関する。
【背景技術】
【０００２】
パチンコ機やスロットマシン等の遊技機には、その遊技の進行に必要な各種装置に対して、駆動電圧を供給するための電源ボックスが筐体内部に配設されるのが一般的である。この種の電源ボックスとしては、電源回路が形成された回路基板と、該回路基板をその内部に収納するため電源ボックス本体とを備えるものが広く採用されている。
【０００３】
これらの各種装置と電源ボックスとを電気的に接続するためのケーブルとしては、ケーブルの脱着が容易に行うことができるように、その端部に可動側接点としてのコネクタプラグが設けられたものが採用されている。また、回路基板には、コネクタプラグを受けるために固定側接点としてのコネクタソケットが実装され、このコネクタソケットを電源ボックス本体に設けられた挿通孔から挿通させることで、当該コネクタソケットが電源ボックス本体の表面から露出して設けられる。そして、コネクタソケットにコネクタプラグを嵌入させることにより、電源ボックスから各種装置に対して駆動電圧が供給される。
【０００４】
このような遊技機では、コネクタソケットが電源ボックス本体の表面から露出しているため、コネクタプラグまたはコネクタソケットの電極に、金属片等を接触させて当該電極を短絡させたり接地させたりすることにより、各種装置を意図的に誤動作させるという不正行為が行われ易い。
【０００５】
そこで、従来では、このような不正行為を防止することができる電源ボックスが提案されている（特許文献１参照）。この電源ボックスでは、コネクタソケットにコネクタプラグが嵌入された状態で、両者の接続部を覆う保護カバーが電源ボックス本体に固定されている。このようにすると、例えば、ピアノ線等の不正具をコネクタソケットまたはコネクタプラグの電極に接触させるのが困難になるため、不正行為を防止することができる。
【先行技術文献】
【特許文献】
【０００６】
【特許文献１】特開２００６−３２５８７３号公報（段落００２３〜００３１、図３等参照）
【発明の概要】
【発明が解決しようとする課題】
【０００７】
しかしながら、この電源ボックスでは、保護カバーにケーブルを引き出すための開口が設けられているため、電源ボックス本体に保護カバーを固定した状態でケーブルと保護カバーとの間に隙間がある。また、電源ボックス本体の挿通孔に回路基板のコネクタソケットを挿通させる構造であるため、両者の寸法精度のばらつきから、両者間にも隙間がある。
【０００８】
したがって、粉塵等が両隙間を通って電源ボックス本体の内部に混入する場合があり、このような場合は、電源ボックス本体の内部に収納された回路基板に粉塵等が付着して、回路基板が故障するおそれがある。また、両隙間を通ってピアノ線等の不正具が回路基板にアクセスすることが可能であり、このような巧妙な不正行為を防止することができない。
【０００９】
本発明は、上記課題に鑑みてなされたものであり、外部接続用のコネクタが実装された回路基板と、その内部に回路基板を収納する電源ボックス本体とを備える遊技機用の電源ボックスにおいて、電源ボックス本体の内部に粉塵や不正具等の異物が侵入するのを確実に防止できる技術を提供することを目的とする。
【課題を解決するための手段】
【００１０】
上記目的を達成するために、本発明にかかる電源ボックスは遊技機の筐体内部に配設される電源ボックスにおいて、電源回路が形成された回路基板と、前記回路基板に実装された外部接続用のコネクタと、その内部に前記回路基板を収納するとともに、前記コネクタが挿通する挿通孔を有する電源ボックス本体と、前記コネクタが前記電源ボックス本体の前記挿通孔に挿通された状態で、前記電源ボックス本体の内側から、前記コネクタと前記挿通孔との隙間を塞ぐ閉塞部材とを備え、前記電源ボックス本体には、前記閉塞部材を位置決めする位置決め部が設けられていることを特徴としている（請求項１）。
【００１１】
また、前記閉塞部材が、前記位置決め部と、前記電源ボックス本体に固定された前記回路基板とにより位置決めされていてもよい（請求項２）。
【発明の効果】
【００１２】
請求項１に係る発明によれば、電源ボックスには、コネクタが電源ボックス本体の挿通孔に挿通された状態で、コネクタと挿通孔との隙間を塞ぐ閉塞部材が設けられているため、該閉塞部材により、粉塵や不正具等の異物が電源ボックス本体の内部に侵入するのを防止することができる。また、単に閉塞部材を設けただけでは、例えば、電源ボックスの輸送時の衝撃等により、閉塞部材の位置がずれて、異物侵入を防止する効果が得られない場合があるが、本発明では、電源ボックス本体に閉塞部材を位置決めする位置決め部が設けられているため、輸送時の衝撃等により閉塞部材が位置ずれするのを防止することができる。したがって、電源ボックス本体の内部に異物が侵入するのを確実に防止することができる。
【００１３】
また、閉塞部材が、電源ボックス本体の内側に設けられるため、電源ボックス本体の外部から閉塞部材を取り除いて、ピアノ線等の不正具を電源ボックス本体の内部に侵入させるのが困難となる。
【００１４】
請求項２に係る発明によれば、閉塞部材が、電源ボックス本体の位置決め部に加えて、電源ボックスの内部に固定された回路基板でも位置決めされるため、電源ボックス本体の内部に異物が侵入するのをより確実に防止することができる。
【図面の簡単な説明】
【００１５】
【図１】本発明に係る電源ボックスが適用されるスロットマシンの前扉を開放した状態の斜視図である。
【図２】図１の電源ボックスの斜視図である。
【図３】図１の電源ボックスの分解斜視図である。
【図４】図１の電源ボックス本体のベース体の斜視図である。
【図５】図１の電源ボックス本体の右側面図である。
【図６】パッキンの位置決め方法を説明するための図である。
【図７】図１の電源ボックス本体の左側面図である。
【発明を実施するための形態】
【００１６】
本発明の一実施形態にかかる電源ボックス９が適用される遊技機の一例であるスロットマシン１について、図１〜図７を参照して説明する。なお、図１はスロットマシン１の前扉を開放した状態の斜視図、図２は図１の電源ボックス９の斜視図、図３は図１の電源ボックス９の分解斜視図、図４は、図１の電源ボックス本体１０のベース体１２の開口側から見たときの斜視図、図５は図１の電源ボックス本体１０の右側面図、図６はパッキン１１ｃの位置決め方法を説明するための図、図７は図１の電源ボックス本体１０の左側面図である。なお、図６は、図２のＡ−Ａ矢視部分断面図を示す。
【００１７】
（全体構成）
スロットマシン１は、図１に示すように、上方に配置された天板２ａと、下方に配置された底板２ｂと、左側に配置された左側板２ｃ、右側に配置された右側板２ｄと、背面側に配置された背板２ｅとで構成され、前方側が開口部を有する四角箱型の筐体２を備え、この筐体２の開口部を開閉可能に閉塞する前扉３が、筐体２に回動自在に取り付けられている。
【００１８】
また、筐体２の内部には、３つのリールである右リール４Ｒ、中リール４Ｍ、左リール４Ｌが並設されてなるリール装置４、遊技者により外部から投入されたメダルをスロットマシン１の内部に貯留するとともに、貯留したメダルをメダル受け皿６に払い出すためのホッパー装置５が配設されている。
【００１９】
また、筐体２の左側板２ｃの内側面の上部には、その内部に制御基板７が収納された制御基板ケース８が固定される。この制御基板７は、スロットマシン１の制御を司るものであり、具体的には、リール装置４に対する各リール４Ｒ，４Ｍ，４Ｌの回転・停止の指示や、ホッパー装置５に対するメダルの払い出しの開始・停止の指示を行うのに加え、音声出力装置（図示せず）や映像表示装置（図示せず）等、スロットマシン１の遊技の進行に必要な各種装置の制御を司る。
【００２０】
また、筐体２の左側板２ｃの内側面の下部には、その内部に電源回路を収納した電源ボックス９が固定されている。この電源ボックス９は、リール装置４、ホッパー装置５などの各種装置や制御基板７に駆動電圧を供給する。なお、電源ボックス９については後で詳述する。
【００２１】
前扉３の略中央には、図柄表示窓３ａが設けられており、各リール４Ｒ，４Ｍ，４Ｌの周面に付されている図柄の一部を表示可能に形成されている。
【００２２】
（電源ボックス）
電源ボックス９は、図２に示すように、内部に電源回路を収納するための収納空間（図４に示す電源ボックス本体１０のベース体１２参照）が形成された電源ボックス本体１０と、電源ボックス本体１０の内部に収納される回路基板１１（図３参照）とを備える。このとき、回路基板１１には、各種電子部品等が実装されて電源回路が形成される。
【００２３】
電源ボックス本体１０は、図３および図４に示すように、左側が開放された箱状のベース体１２と、ベース体１２の開放された左側を閉塞する略板状のカバー体１３とで構成され、ベース体１２にカバー体１３を装着することで、その内部に回路基板１１を収納する収納空間が形成される。そして、その内部に回路基板１１を収納した状態で筐体２の左側板２（図１参照）の内面に固定される。
【００２４】
この電源ボックス本体１０について具体的に説明すると、図３に示すように、ベース体１２の上側の外側面１２ａの略中央には、前壁面１４ａ１、後壁面１４ａ２、左壁面１４ａ３および底壁１４ａ４で構成された凹部１４ａが形成される。ここで、ベース体１２における凹部１４ａの左壁面１４ａ３の形成部分は板状をなし、該左壁面１４ａ３が右側面視で台形状に形成されている（図５参照）。このとき、それぞれ左壁面１４ａ３と垂直な方向に配置された前壁面１４ａ１、後壁面１４ａ２、底壁１４ａ４が、左壁面１４ａ３の上側の底辺を除く各辺に連接するように凹部１４ａが形成されている。また、左壁面１４ａ３には、電源ボックス本体１０を筐体２に固定するねじの挿通用の挿通孔１５ａが透設される。
【００２５】
また、上側の外側面１２ａの前方部には、回路基板１１に実装されたコネクタソケット１１ａの先端部を挿通させるための、上面視で矩形状の挿通孔１６が形成される。
【００２６】
ベース体１２の前側の外側面１２ｂの上部には、上壁面１４ｂ１、下壁面１４ｂ２、左壁面１４ｂ３および後壁面１４ｂ４で構成された凹部１４ｂが形成される。ここで、ベース体１２における凹部１４ｂの左壁面１４ｂ３の形成部分は板状をなし、該左壁面１４ｂ３が右側面視で台形状に形成されている（図５参照）。このとき、それぞれ左壁面１４ｂ３と垂直な方向に配置された上壁面１４ｂ１、下壁面１４ｂ２、後壁面１４ｂ４が、左壁面１４ｂ３の前側の底辺を除く各辺に連接するように凹部１４ｂが形成されている。また、左壁面１４ｂ３には、電源ボックス本体１を筐体２に固定するねじの挿通用の挿通孔１５ｂが透設されている。
【００２７】
ベース体１２の前側の外側面１２ｂの下部には、上部に形成された凹部１４ｂと同様に、上壁面１４ｃ１、下壁面１４ｃ２、左壁面１４ｃ３および後壁面１４ｃ４で構成された凹部１４ｃが形成されるとともに、凹部１４ｃの左壁面１４ｃ３に挿通孔１５ｃが透設されている。また、ベース体１２の前側の外側面１２ｂに形成された両凹部１４ｂ，１４ｃの間であって、下部側の凹部１４ｃ寄りの位置に、開閉可能な蓋体２５が取り付けられている。この蓋体１６の内側には、電源をＯＮ／ＯＦＦするためのスイッチ（図示せず）が配設されている。
【００２８】
ここで、ベース体１２の上側の外側面１２ａの凹部１４ａの左壁面１４ａ３に形成された挿通孔１５ａは、図５に示すように、当該左壁面１４ａ３の中心から後方側にずれて配置される。したがって、挿通孔１５ａにねじを挿通して電源ボックス９を筐体２に固定する際、凹部１４ａ内における挿通孔１５ａの前方側に、ねじ固定に用いられるドライバなどの工具を配設するスペースが生まれて、電源ボックス９の筐体２への固定作業を円滑に行うことが可能になる。
【００２９】
回路基板１１には、電源回路を形成するための各種電子部品（図示せず）が実装されるとともに、外部接続用のコネクタソケット１１ａ（本発明の「コネクタ」に相当）が実装される。また、回路基板１１には固定用の複数の孔１１ｂが設けられ、ねじ等によりベース体１２に固定される。このとき、回路基板１１のコネクタソケット１１ａの先端部がベース体１２の挿通孔１６に挿通した状態で、回路基板１１がベース体１２に固定される。
【００３０】
ここで、スロットマシン１が備える制御基板７、リール装置７、ホッパー装置５などの各種装置は、図示省略のハーネスを介してコネクタソケット１１ａに接続される。このとき、ハーネスの一端は、スロットマシン１が備える制御基板７、リール装置４、ホッパー装置５などの各種装置の電源部に接続される。また、ハーネスの他端には、コネクタプラグ（図示省略）が設けられており、このコネクタプラグが、回路基板１１に実装されたコネクタソケット１１ａに嵌入されることで、電源ボックス９の回路基板１１により生成された所定値の電圧が駆動電圧として各種装置に供給される。
【００３１】
また、コネクタソケット１１ａには、その外側面を囲むように、矩形リング状のパッキン１１ｃ（本発明における「閉塞部材」に相当）が装着される。このパッキン１１ｃは、コネクタソケット１１ａの先端部がベース体１２の挿通孔１６に挿通される前にコネクタソケット１１ａに装着される。したがって、回路基板１１が電源ボックス本体１０の内部に収納された状態で、電源ボックス本体１０の内側から、コネクタソケット１１ａとベース体１２の挿通孔１６との隙間を塞ぐことができるようになっている。
【００３２】
カバー体１３は、図３に示すように、略板状に形成され、その周縁のベース体１２の各凹部１４ａ，１４ｂ，１４ｃそれぞれの左壁面１４ａ３，１４ｂ３，１４ｃ３の形成部分に対応する位置に、切欠部１７ａ，１７ｂ，１７ｃが形成されている。これらの切欠部１７ａ，１７ｂ，１７ｃは、対応する凹部１４ａ，１４ｂ，１４ｃの左壁面１４ａ３，１４ｂ３，１４ｃ３の形状に合わせた形状に形成されている。また、カバー体１３をベース体１２に固定するための複数のねじ孔１９が設けられている。
【００３３】
さらに、カバー体１３の内側面の上部の前方側には、コネクタソケット１１ａに装着されたパッキン１１ｃを位置決めするための位置決め部２１が形成される。この位置決め部２１は、図３に示すように、カバー体１３の内側面に突出形成されたベース板２１ａと、それぞれベース板２１ａの上面に立設された３つの立板２１ｂとを備える。このとき、各立板２１ｂは、それぞれ平行で、かつ、略等間隔でベース板２１ａに立設される。また、各立板２１ｂの右上端部には、パッキン１１ｃを係止するための係止部２１ｃがそれぞれ形成されている。
【００３４】
ここで、パッキン１１ｃの位置決め方法について説明すると、図６に示すように、電源ボックス本体１０の内部に回路基板１１を収納した状態で、パッキン１１ｃのコネクタソケット１１ａの左壁１１ａ１に当接する部分が、位置決め部２１の各係止部２１ｃに係止されることにより、パッキン１１ｃの下側方向、および、左側方向への移動が規制される。また、パッキン１１ｃの上側方向への移動は、ベース体１２の内面により規制されるとともに、右側方向への移動は、コネクタソケット１１ａの左壁１１ａ１により規制される。なお、位置決め部２１の各立板２１ｂおよび各係止部２１ｃは、パッキン１１ｃの下側方向、および、左側方向への移動を規制することができるように、それぞれ寸法設定されている。
【００３５】
また、パッキン１１ｃのコネクタソケット１１ａの右壁１１ａ２に当接する部分は、ベース体１２の内面と回路基板１１とにより上下から挟持されており、カバー体１３の位置決め部２１と回路基板１１とにより、パッキン１１ｃの位置決めが確実になされるように構成されている。なお、必ずしも、回路基板１１をパッキン１１ｃの位置決めに利用しなくてもよい。
【００３６】
このように構成されたベース体１２およびカバー体１３では、図７に示すように、カバー体１３をベース体１２に装着したときに、対応するベース体１２の前記左壁面１４ａ３，１４ｂ３，１４ｃ３の形成部分とカバー体１３の切欠部１７ａ，１７ｂ，１７ｃ同士が嵌合し、この状態でねじ２０により、カバー体１３がベース体１２に固定される。なお、ベース体１２の上側の外側面１２ａに形成された凹部１４ａの左壁面１４ａ３（図３参照）の裏側面、および、ベース体１２の前側の外側面１２ｂの上部に形成された凹部１４ｂの左壁面１４ｂ３（図３参照）の裏側面それぞれには、リブ１８ａ，１８ｂが形成されて補強されている。
【００３７】
次に、電源ボックス９の筐体２への取付（固定）について説明すると、この電源ボックス９は、図１に示すように、筐体２の左側板２ｃの内側面に近接して固定される。具体的には、図７に示す電源ボックス本体１０の左側面が、筐体２の左側板２ｃの内側面に当接するように配置され、ベース体１２の各凹部１４ａ，１４ｂ，１４ｃ（図３参照）に形成された挿通孔１５ａ，１５ｂ，１５ｃにねじを挿通させることにより、電源ボックス９が筐体２に固定される。
【００３８】
したがって、上記した実施形態によれば、電源ボックス９には、コネクタソケット１１ａの先端部がベース体１２の挿通孔１６に挿通された状態で、コネクタソケット１１ａと挿通孔１６との隙間を塞ぐパッキン１１ｃが設けられているため、該パッキン１１ｃにより、粉塵や不正具等の異物が電源ボックス本体１０の内部に侵入するのを防止することができる。また、単にパッキン１１ｃを設けただけでは、例えば、電源ボックス９の輸送時の衝撃等により、パッキン１１ｃの位置がずれて、異物侵入を防止する効果が得られない場合がある。しかしながら、本発明では、電源ボックス本体１０のカバー体１３にパッキン１１ｃを位置決めする位置決め部２１が設けられているため、輸送時の衝撃等によりパッキン１１ｃが位置ずれするのを防止することができる。したがって、電源ボックス本体１０の内部に異物が侵入するのを確実に防止することができる。
【００３９】
また、パッキン１１ｃが、電源ボックス本体１０の内側に設けられるため、電源ボックス本体１０の外部からパッキン１１ｃを取り除いて、ピアノ線等の不正具を電源ボックス本体１０の内部に侵入させるのが困難となる。
【００４０】
また、パッキン１１ｃが、カバー体１３の位置決め部２１に加えて、ベース体１２の内部に固定された回路基板１１でも位置決めされるため、電源ボックス本体１０の内部に異物が侵入するのをより確実に防止することができる。
【００４１】
なお、本発明は上記した実施形態に限定されるものではなく、その趣旨を逸脱しない限りにおいて、上記したもの以外に種々の変更を行うことが可能である。例えば、上記した実施形態では、位置決め部２１の立板２１ｂに切欠（係止部２１ｃ）を形成することにより、パッキン１１ｃを位置決めする場合について説明したが、パッキン１１ｃの下側方向および左側方向への移動を規制することができるものであれば、位置決め部２１の構成、形状は、適宜、変更可能である。
【００４２】
また、本発明は、スロットマシン１に限らず、筐体内部に電源ボックスが配設される種々の遊技機に適用することができる。
【符号の説明】
【００４３】
１…スロットマシン（遊技機）、２…筐体、９…電源ボックス、１０…電源ボックス本体、１１…回路基板、１１ａ…コネクタソケット（コネクタ）、１１ｃ…パッキン（閉塞部材）、１６…挿通孔、２１…位置決め部
【図１】
2015093153.tif 000003
【図２】
2015093153.tif 000004
【図３】
2015093153.tif 000005
【図４】
2015093153.tif 000006
【図５】
2015093153.tif 000007
【図６】
2015093153.tif 000008
【図７】
2015093153.tif 000009
【手続補正書】
【提出日】平成27年2月17日(2015.2.17)
【手続補正１】
【補正対象書類名】明細書
【補正対象項目名】００１０
【補正方法】変更
【補正の内容】
【００１０】
上記目的を達成するために、本発明にかかる電源ボックスは遊技機の筐体内部に配設される電源ボックスにおいて、電源回路が形成された回路基板と、前記回路基板に実装された外部接続用のコネクタと、前記コネクタが挿通する矩形状の挿通孔を有し、内部に前記回路基板が収納されて固定される電源ボックス本体と、前記電源ボックス本体の内部に配設され、前記コネクタが前記電源ボックス本体の前記挿通孔に挿通された状態で前記コネクタと前記挿通孔との隙間から前記電源ボックス本体の内部に異物が侵入するのを防止する閉塞部材とを備え、前記電源ボックス本体には、前記閉塞部材を位置決めする位置決め部が設けられ、前記閉塞部材は、前記コネクタの外側面を囲む矩形リング状を成し、前記電源ボックス本体の内側面の前記挿通孔の周縁に当接して配設され、前記閉塞部材の一辺が前記回路基板の端面と前記電源ボックス本体の内側面との間に挟持されるとともに、前記閉塞部材の前記一辺に対向する対向辺が前記位置決め部に係止されることにより位置決めされていることを特徴としている（請求項１）。
【手続補正２】
【補正対象書類名】明細書
【補正対象項目名】００１１
【補正方法】変更
【補正の内容】
【００１１】
また、前記位置決め部は、前記閉塞部材の前記対向辺に係止する係止部を有し、前記係止部は、前記閉塞部材の前記一辺から前記対向辺に向かう一の方向、および、該一の方向に直交する方向であって前記電源ボックス本体の内側に向かう他の方向の２方向への前記閉塞部材の移動を規制するように、前記対向辺に係止するようにしてもよい（請求項２）。
【手続補正３】
【補正対象書類名】明細書
【補正対象項目名】００１２
【補正方法】変更
【補正の内容】
【００１２】
請求項１に係る発明によれば、電源ボックスには、コネクタが電源ボックス本体の挿通孔に挿通された状態で、コネクタと挿通孔との隙間から前記電源ボックス本体の内部に異物が侵入するのを防止する閉塞部材が設けられているため、該閉塞部材により、粉塵や不正具等の異物が電源ボックス本体の内部に侵入するのを防止することができる。また、単に閉塞部材を設けただけでは、例えば、電源ボックスの輸送時の衝撃等により、閉塞部材の位置がずれて、異物侵入を防止する効果が得られない場合があるが、本発明では、電源ボックス本体に閉塞部材を位置決めする位置決め部が設けられているため、輸送時の衝撃等により閉塞部材が位置ずれするのを防止することができる。したがって、電源ボックス本体の内部に異物が侵入するのを確実に防止することができる。
【手続補正４】
【補正対象書類名】明細書
【補正対象項目名】００１４
【補正方法】変更
【補正の内容】
【００１４】
また、閉塞部材が、電源ボックス本体の位置決め部に加えて、電源ボックスの内部に固定された回路基板でも位置決めされるため、電源ボックス本体の内部に異物が侵入するのをより確実に防止することができる。また、請求項２に係る発明によれば、位置決め部が有する係止部により、複数の方向にわたって閉塞部材の移動を規制することができる。
【手続補正５】
【補正対象書類名】特許請求の範囲
【補正対象項目名】全文
【補正方法】変更
【補正の内容】
【特許請求の範囲】
【請求項１】
遊技機の筐体内部に配設される電源ボックスにおいて、
電源回路が形成された回路基板と、
前記回路基板に実装された外部接続用のコネクタと、
前記コネクタが挿通する矩形状の挿通孔を有し、内部に前記回路基板が収納されて固定される電源ボックス本体と、
前記電源ボックス本体の内部に配設され、前記コネクタが前記電源ボックス本体の前記挿通孔に挿通された状態で前記コネクタと前記挿通孔との隙間から前記電源ボックス本体の内部に異物が侵入するのを防止する閉塞部材とを備え、
前記電源ボックス本体には、前記閉塞部材を位置決めする位置決め部が設けられ、
前記閉塞部材は、前記コネクタの外側面を囲む矩形リング状を成し、前記電源ボックス本体の内側面の前記挿通孔の周縁に当接して配設され、前記閉塞部材の一辺が前記回路基板の端面と前記電源ボックス本体の内側面との間に挟持されるとともに、前記閉塞部材の前記一辺に対向する対向辺が前記位置決め部に係止されることにより位置決めされていることを特徴とする電源ボックス。
【請求項２】
前記位置決め部は、前記閉塞部材の前記対向辺に係止する係止部を有し、
前記係止部は、前記閉塞部材の前記一辺から前記対向辺に向かう一の方向、および、該一の方向に直交する方向であって前記電源ボックス本体の内側に向かう他の方向の２方向への前記閉塞部材の移動を規制するように、前記対向辺に係止することを特徴とする請求項１に記載の電源ボックス。